(57)【要約】      （修正有）【課題】送水配管系統接続構造の提供。【解決手段】外部套管の内周縁の中段にリング溝を設けて、Ｃ型制限リングの埋め込みに備える。該Ｃ型制限リングの内周縁の片側は該つなぎ部材の輪状フランジによって止める。水管をつなぎ部材の挿接端に挿入し、該Ｃ型制限リングを挟むことにより、該つなぎ部材、外部ブッシングは水管と結合できる。一方、中央部に貫通した球状受け台の一端に内径が次第に縮小する下開口部を設け、つなぎ部材の球端部の内周縁にソケット継ぎ合わせる。該球状受け台の他端の内周縁に雌ネジ山を設け、上部締め付けリングを該球端部の外側に装入後、他の送水管の一端に備える雄ネジ山を該球状受け台の雌ネジ山にねじ込む。該送水管を該上部締め付けリングに圧迫することにより、該球状受け台を該つなぎ部材の球端部に挟み、送水管と水管の間が自由に旋転および偏りの接合せる。【選択図】図５
0003125941.tif 000002
【実用新案登録請求の範囲】
【請求項１】
つなぎ部材、外部ブッシング及び球状受け台を含み、
つなぎ部材は中央部に水流路を設け、両端に球状の球端部と挿接端をそれぞれ設け、
外部ブッシングは該挿接端にソケット接ぎ合わせ、外部ブッシングの内周縁に接触口を設け、水管をつなぎ部材の挿接端に装入することにより、該つなぎ部材、外部ブッシングおよび水管を結合し、
球状受け台は中央部を貫通し、その一端に送水管部材と接ぎ合わせ、他端に内外径とも球面を形成し、次第に縮小する下開口部を設け、該下開口部の内径をつなぎ部材の球端部にソケット接ぎ合わせ、外径は前記接触口によって結合し、該球状受け台と該つなぎ部材の球端部とのソケット接ぎ合わせにより結合することを特徴とする、一種の送水配管系統接続構造。
【請求項２】
外部ブッシングの内周縁にリング溝を設け、Ｃ型制限リングの埋設に備え、該Ｃ型制限リング内周縁の片側はつなぎ部材の輪状フランジによって押し止められることを特徴とする、請求項１記載の送水配管系統接続構造。
【請求項３】
球状受け台は上部制限リングにより、該球端部の他端に套合し、送水管部材に設けた雄ネジ山を該球状受け台の雌ネジ山にねじ込み、該送水管部材より該上部制限リングを圧迫することを特徴とする請求項１または請求項２記載の送水配管系統接続構造。
【請求項４】
該球状受け台の下開口部の内縁とつなぎ部材の球端部との間にＯリングを設け、水の漏れを防止することを特徴とする請求項１または請求項２記載の送水配管系統接続構造。
【請求項５】
該シャワーヘッドの端面と該上部制限リングとの間にパッキングリングを設けることを特徴とする請求項３記載の送水配管系統接続構造。
【請求項６】
該つなぎ部材の挿接端の外周縁に複数の円錐形の係止フランジを設けて、該水管をソケット接ぎ合わせた後の脱けだすことを特徴とする請求項１または請求項２記載の送水配管系統接続構造。
【請求項７】
該つなぎ部材の挿接端の外周縁に複数の円錐形の係止フランジを設けて、該水管をソケット接ぎ合わせた後の脱けだしを防止することを特徴とする請求項３記載の送水配管系統接続構造。
【請求項８】
該つなぎ部材の挿接端の外周縁に複数の円錐形の係止フランジを設けて、該水管をソケット接ぎ合わせた後の脱けだしを防止することを特徴とする請求項４記載の送水配管系統接続構造。
【請求項９】
該つなぎ部材の挿接端の外周縁に複数の円錐形の係止フランジを設けて、該水管をソケット接ぎ合わせた後の脱けだしを防止することを特徴とする請求項５記載の送水配管系統接続構造。
【請求項１０】
該水管端部の外周縁に下部締め付けリングとソケット接ぎ合わせることにより、該水管が過度の拡張による変形を防止することを特徴とする請求項１または請求項２記載の送水配管系統接続構造。
【請求項１１】
該水管端部の外周縁に下部締め付けリングとソケット接ぎ合わせることにより、該水管が過度の拡張による変形を防止することを特徴とする請求項３記載の送水配管系統接続構造。
【請求項１２】
該水管端部の外周縁に下部締め付けリングとソケット接ぎ合わせることにより、該水管が過度の拡張による変形を防止することを特徴とする請求項４記載の送水配管系統接続構造。
【請求項１３】
該水管端部の外周縁に下部締め付けリングとソケット接ぎ合わせることにより、該水管が過度の拡張による変形を防止することを特徴とする請求項５記載の送水配管系統接続構造。
【請求項１４】
該水管端部の外周縁に下部締め付けリングとソケット接ぎ合わせることにより、該水管が過度の拡張による変形を防止することを特徴とする請求項６記載の送水配管系統接続構造。
【請求項１５】
該水管端部の外周縁に下部締め付けリングとソケット接ぎ合わせることにより、該水管が過度の拡張による変形を防止することを特徴とする請求項７記載の送水配管系統接続構造。
【請求項１６】
該水管端部の外周縁に下部締め付けリングとソケット接ぎ合わせることにより、該水管が過度の拡張による変形を防止することを特徴とする請求項８記載の送水配管系統接続構造。
【請求項１７】
該水管端部の外周縁に下部締め付けリングとソケット接ぎ合わせることにより、該水管が過度の拡張による変形を防止することを特徴とする請求項９記載の送水配管系統接続構造。
【請求項１８】
送水管部材はシャワーヘッドであることを特徴とする請求項１または請求項２記載の送水配管系統接続構造。
【請求項１９】
送水管部材はシャワーヘッドであることを特徴とする請求項３記載の送水配管系統接続構造。
【請求項２０】
送水管部材はシャワーヘッドであることを特徴とする請求項４記載の送水配管系統接続構造。
【請求項２１】
送水管部材はシャワーヘッドであることを特徴とする請求項６記載の送水配管系統接続構造。
【請求項２２】
送水管部材はシャワーヘッドであることを特徴とする請求項１０記載の送水配管系統接続構造。
【考案の詳細な説明】
【技術分野】
【０００１】
本考案は送水配管系統接続構造、特に一種の送水管と水管との間に適切な屈折角度を有しながら、相対的に旋転することにより、使用の便利性を向上する接続構造に関わるものである。
【背景技術】
【０００２】
公知技術の送水管と水管との接続構造(シャワーヘッドと水管との接続構造)は図１に示すとおり、水管４の出水端は締め付けリング４０１によって締め付ける。該締め付けリング４０１の外周縁に雄フランジ４０２を設け、該締め付けリング４０１の外部に管状の接続台６を装入し、該接続台６一端の内周縁に雌フランジ６１を設け、前記雄フランジ４０２と噛み合う。接続台６の他端はさらに雌ネジ山６２を設けて、Ｏリング６３を取り付けた後、シャワーヘッド５(またはもう一つの送水管)に設けられた雄ネジ山５１に締め付けて、該シャワーヘッド５、接続台６により該Ｏリング６３を圧迫することにより、水流路を遮断し外部への漏れを防止する。
【０００３】
しかしながら、前記組合せ構造のうち、シャワーヘッド５と水管４とはねじ込みによる組合せのため、その接ぎ合わせ部は屈折または偏りができない。さらに該水管４の長さは制限される。また、その他端は水源配管に接続されていることから、該シャワーヘッド５の使用方向と位置とも制限を受けるため、使用上に不便をきたす。
【０００４】
本考案者は公知技術配管系統（シャワーヘッド）の欠点に対する、改善策を研究した結果、本考案を開発した。
【考案の開示】
【考案が解決しようとする課題】
【０００５】
主につなぎ部材、外部ブッシング及び球状受け台などの構成要素より構成する。そのうち、該つなぎ部材の中央部に水を流通する水流路のつなぎ部材を挿入し、その外周縁は周縁に拡張する輪状フランジを設け、該つなぎ部材の両端に球状の球端部と挿接端をそれぞれ設け、該外部套管の内周縁の中段にリング溝を設けて、Ｃ型制限リングの埋め込みに備える。水管をつなぎ部材の挿接端に挿入し、該Ｃ型制限リングを挟むことにより、該つなぎ部材、外部ブッシングは水管と結合できる。一方、球状受け台の中央部を貫通し、その一端の内周縁に雌ネジ山を設け、球状受け台の他端に内径が次第に縮小する下開口部を設けて、つなぎ部材の球端部の内周縁にソケット継ぎ合わせる。上部締め付けリングを該球端部の外側に装入後、送水管の一端を該球状受け台の雌ネジ山にねじ込む。該送水管を該上部締め付けリングに圧迫することにより、該球状受け台を該つなぎ部材の球端部に套合し、該シャワーヘッドと水管との間が自由に旋転および偏りの接合を実現するほか、使用上の利便性を図る、一種の送水は移管系統接続構造の改良を提供することを本考案の主な目的とする。
【課題を解決するための手段】
【０００６】
請求項１の考案は、つなぎ部材、外部ブッシング及び球状受け台を含み、
つなぎ部材は中央部に水流路を設け、両端に球状の球端部と挿接端をそれぞれ設け、
外部ブッシングは該挿接端にソケット接ぎ合わせ、外部ブッシングの内周縁に接触口を設け、水管をつなぎ部材の挿接端に装入することにより、該つなぎ部材、外部ブッシングおよび水管を結合し、
球状受け台は中央部を貫通し、その一端に送水管部材と接ぎ合わせ、他端に内外径とも球面を形成し、次第に縮小する下開口部を設け、該下開口部の内径をつなぎ部材の球端部にソケット接ぎ合わせ、外径は前記接触口によって結合し、該球状受け台と該つなぎ部材の球端部とのソケット接ぎ合わせにより結合することを特徴とする、一種の送水配管系統接続構造としている。
請求項２の考案は、外部ブッシングの内周縁にリング溝を設け、Ｃ型制限リングの埋設に備える、該Ｃ型制限リング内周縁の片側はつなぎ部材の輪状フランジによって押し止められることを特徴とする、請求項１記載の送水配管系統接続構造としている。
請求項３の考案は、球状受け台は上部制限リングにより、該球端部の他端に套合し、送水管部材に設けた雄ネジ山を該球状受け台の雌ネジ山にねじ込み、該送水管部材より該上部制限リングを圧迫することを特徴とする請求項１または請求項２記載の送水配管系統接続構造としている。
請求項４の考案は、該球状受け台の下開口部の内縁とつなぎ部材の球端部との間にＯリングを設けて、水の漏れを防止することを特徴とする請求項１または請求項２記載の送水配管系統接続構造としている。
請求項５の考案は、該シャワーヘッドの端面と該上部制限リングとの間にパッキングリングを設けることを特徴とする請求項３記載の送水配管系統接続構造としている。
請求項６の考案は、該つなぎ部材の挿接端の外周縁に複数の円錐形の係止フランジを設けて、該水管をソケット接ぎ合わせた後の脱けだすことを特徴とする請求項１または請求項２記載の送水配管系統接続構造としている。
請求項７の考案は、該つなぎ部材の挿接端の外周縁に複数の円錐形の係止フランジを設けて、該水管をソケット接ぎ合わせた後の脱けだしを防止することを特徴とする請求項３記載の送水配管系統接続構造としている。
請求項８の考案は、該つなぎ部材の挿接端の外周縁に複数の円錐形の係止フランジを設けて、該水管をソケット接ぎ合わせた後の脱けだしを防止することを特徴とする請求項４記載の送水配管系統接続構造としている。
請求項９の考案は、該つなぎ部材の挿接端の外周縁に複数の円錐形の係止フランジを設けて、該水管をソケット接ぎ合わせた後の脱けだしを防止することを特徴とする請求項５記載の送水配管系統接続構造としている。
請求項１０の考案は、該水管端部の外周縁に下部締め付けリングとソケット接ぎ合わせることにより、該水管が過度の拡張による変形を防止することを特徴とする請求項１または請求項２記載の送水配管系統接続構造としている。
請求項１１の考案は、該水管端部の外周縁に下部締め付けリングとソケット接ぎ合わせることにより、該水管が過度の拡張による変形を防止することを特徴とする請求項３記載の送水配管系統接続構造としている。
請求項１２の考案は、該水管端部の外周縁に下部締め付けリングとソケット接ぎ合わせることにより、該水管が過度の拡張による変形を防止することを特徴とする請求項４記載の送水配管系統接続構造としている。
請求項１３の考案は、該水管端部の外周縁に下部締め付けリングとソケット接ぎ合わせることにより、該水管が過度の拡張による変形を防止することを特徴とする請求項５記載の送水配管系統接続構造としている。
請求項１４の考案は、該水管端部の外周縁に下部締め付けリングとソケット接ぎ合わせることにより、該水管が過度の拡張による変形を防止することを特徴とする請求項６記載の送水配管系統接続構造としている。
請求項１５の考案は、該水管端部の外周縁に下部締め付けリングとソケット接ぎ合わせることにより、該水管が過度の拡張による変形を防止することを特徴とする請求項７記載の送水配管系統接続構造としている。
請求項１６の考案は、該水管端部の外周縁に下部締め付けリングとソケット接ぎ合わせることにより、該水管が過度の拡張による変形を防止することを特徴とする請求項８記載の送水配管系統接続構造としている。
請求項１７の考案は、該水管端部の外周縁に下部締め付けリングとソケット接ぎ合わせることにより、該水管が過度の拡張による変形を防止することを特徴とする請求項９記載の送水配管系統接続構造としている。
請求項１８の考案は、送水管部材はシャワーヘッドであることを特徴とする請求項１または請求項２記載の送水配管系統接続構造としている。
請求項１９の考案は、送水管部材はシャワーヘッドであることを特徴とする請求項３記載の送水配管系統接続構造としている。
請求項２０の考案は、送水管部材はシャワーヘッドであることを特徴とする請求項４記載の送水配管系統接続構造としている。
請求項２１の考案は、送水管部材はシャワーヘッドであることを特徴とする請求項６記載の送水配管系統接続構造としている。
請求項２２の考案は、送水管部材はシャワーヘッドであることを特徴とする請求項１０記載の送水配管系統接続構造としている。
【考案の効果】
【０００７】
本考案の送水配管系統接続構造は、送水配管材料と水管との間において、適切な角度の偏りと相互に旋転可能としている。
【考案を実施するための最良の形態】
【０００８】
図１に示すものは、公知技術の送水管と水管接続構造である。主な構成要素ならびに欠点は前述したとおり、その説明を省略する。
【０００９】
図２に示すものは、本考案の構造分解図であり、図３、図４の組合せ外観図と組合せ断面図より、本考案は、主につなぎ部材１、外部ブッシング２および球状受け台３などの構成要素より構成する。そのうち、該つなぎ部材１の中央部に水流路１４を設け、外周縁の中段に輪状フランジ１１を設け、つなぎ部材１の両端に球状の球端部１２と挿接端１３をそれぞれ設け、該挿接端１３の外周縁に複数の円錐形の係止フランジ１３１を設ける。外部ブッシング２は中空の管状を形成し、該輪状フランジ１１に備える挿接端１３の外側に装入し、該外部ブッシング２内周縁の前段に接触口２０１を設け、中段にリング溝２１を設けて、Ｃ型制限リング２２の嵌め込みに備える。該Ｃ型制限リング２２内周縁の片側は該つなぎ部材１の輪状フランジ１１によって押し止められる。さらに、端部に下部締め付けリング４１をはめ込んだ水管４をつなぎ部材１の插接端１３(該係止フランジ１３１は水管４の脱けだしを防止できる)にソケット接ぎ合わせる。前記輪状フランジ１１により該Ｃ型制限リング２２を挟むことにより、該つなぎ部材１、外部ブッシング２と水管４と結合する。球状受け台３の中央部に貫通した上開口部３１を設け、該上開口部３１の内周縁に雌ネジ山３１１を設け、球状受け台３の他端に内外径３２１、３２２とも球面の次第に縮小する下開口部３２を設け、Ｏリング３３を敷いた上、その内径３２１をつなぎ部材１に備える球端部１２の外側とソケット接ぎ合わせる。外径３２２は前記接触口２０１に接触し、上部締め付けリング３４に拡張開口部３４１を該球端部１２の他端にソケット接ぎ合わせる。また、必要に応じて、該上部締め付けリング３４の上部はさらにパッキングリング３５を設けた上、雄ネジ山５１の送水管５を該球状受け台３の雌ネジ山３１１にねじ込み、該送水管５はパッキングリング３５の圧迫により、該上部締め付けリング３４は該球状受け台３をつなぎ部材１の球端部１２に挟む。
【００１０】
図５に示すものは、本考案の屈折動作の断面図であり、図６、図７を合せて参照する。図示のとおり、水管４は下部締め付けリング４１の締め付けリングにより、各係止フランジ１３１と合せて、脱けだしを防止し、つなぎ部材１の挿接端１３を確実に套合し、水流路は外部に漏れることなく、水管４よりつなぎ部材１の水流路１４に進入する。一方、水流路は球端部１２から流出するとき、該Ｏリング３３は球状受け台８の下開口部３２と球端部１２その間を充填して、水流路の漏れを確実に防止できる。さらに、球状受け台３に備える内径が次第に縮小する下開口部３２は拡張開口部３４１を備える上部制限リング３４と合せて、球状の球端部１２両側に套合し、該球端部１２は該下開口部３２、上部制限リング３４の間において、自在に旋転する(図５)の特性のほか、該送水管５のつなぎ端は水管４に対して、自由に偏り(図６)、(図７)の機能を有し、使用上の利便性を向上する。
【００１１】
前記説明のとおり、本考案による送水配管系統接続構造の改良は、送水配管材料と水管との間において、適切な角度の偏りと相互に旋転可能としている。
【図面の簡単な説明】
【００１２】
【図１】公知技術のシャワーヘッド(配管材料)と水管の接続構造概略図である。
【図２】本考案の構造分解図である。
【図３】本考案の組合せ外観図である。
【図４】本考案の組合せ断面図である。
【図５】本考案の屈折動作の断面図である。
【図６】本考案の屈折動作概略図(１)である。
【図７】本考案の屈折動作概略図(２)である。
【符号の説明】
【００１３】
１  つなぎ部材
１１  輪状フランジ
１２  球端部
１３  挿接端
１３１  係止フランジ
１４  流路
２  外部ブッシング
２０１  接触口
２１  環状溝
２２  Ｃ型制限リング
２３  球状受け台
３１  上開口部
３１１、６２  雌ねじ山
３２  下開口部
３３、６３  Ｏリング
３４  上部締め付けリング
３４１  拡張開口部
３５  パッキングリング
４  水管
４１  下部締め付けリング
４０１  締め付けリング
４０２  雄フランジ
５  送水管(シャワーヘッド)
５１  雄ネジ山
６  接続台
６１  雌フランジ
【図１】
0003125941.tif 000003
【図２】
0003125941.tif 000004
【図３】
0003125941.tif 000005
【図４】
0003125941.tif 000006
【図５】
0003125941.tif 000007
【図６】
0003125941.tif 000008
【図７】
0003125941.tif 000009